(57)【要約】【課題】変形したフランジ間を拡開することができ、自動巻取装置におけるテープガイドを確実に進入させることが可能なキャリアテープ巻取り用リールを提供するとともに、このようなリールとの組み合わせにより、フランジが変形していてもキャリアテープを自動的に巻き取ることができるキャリアテープの自動巻取装置及び方法を提供する。【解決手段】キャリアテープ巻取り用リールのフランジに、対向するフランジの内面を押圧するためのピンを挿通するピン挿通孔を設ける。キャリアテープの自動巻取装置におけるリール駆動部に装着したリールのテープガイド進入側にそれぞれ設けたピン挿通孔に対応するリールの前後位置に、前記ピン挿通孔を貫通して対向するフランジの内面を押圧するピンを突出させて両フランジ間を開くピン突出手段をそれぞれ配置する。【選択図】　　図１
2004115271.tif 000002
【特許請求の範囲】
【請求項１】
電子部品を包装したキャリアテープを巻き取る厚紙製のリールにおいて、該リールのフランジに、対向するフランジの内面を押圧するためのピンを挿通するピン挿通孔を設けたことを特徴とするキャリアテープ巻取り用リール。
【請求項２】
前記ピン挿通孔は、各フランジにそれぞれ複数個設けられていることを特徴とする請求項１記載のキャリアテープ巻取り用リール。
【請求項３】
前記フランジに、ピン挿通孔の位置決めを行うための位置決めピンが進入する位置決め孔が設けられていることを特徴とする請求項１記載のキャリアテープ巻取り用リール。
【請求項４】
テープガイドから供給されるキャリアテープをリール駆動部に装着したリールに巻取るためのキャリアテープの自動巻取装置において、前記リール駆動部に装着したリールの両フランジにおける前記テープガイド進入側にそれぞれ設けたピン挿通孔に対応するリールの前後位置に、前記リール駆動部に空のリールが装着されたときに、前記ピン挿通孔を貫通して対向するフランジの内面を押圧することにより両フランジ間を開くように作動するピンを突出させ、テープガイドがフランジ間に進入した後、リール駆動部がリールを回転駆動する前に前記ピンを後退させて前記ピン挿通孔から引き抜くピン突出手段をそれぞれ配置したことを特徴とするキャリアテープの自動巻取装置。
【請求項５】
前記フランジに設けた位置決め孔に進入して前記ピン挿通孔の位置決めを行うための位置決めピンを進退させる位置決めピン突出手段を備えていることを特徴とする請求項４記載のキャリアテープの自動巻取装置。
【請求項６】
テープガイドから供給されるキャリアテープをリール駆動部に装着したリールに巻取らせるためのキャリアテープの自動巻取方法において、前記リール駆動部に空のリールを装着し、該リールの両フランジにおける前記テープガイド進入側にそれぞれ設けたピン挿通孔を貫通させてピンを突出させ、該ピンの先端で対向するフランジの内面を押圧することにより両フランジ間を開き、前記テープガイドをフランジ間に挿入してキャリアテープの先端をリールにセットするとともに、前記ピンを後退させて前記ピン挿通孔から引き抜いた後、前記リール駆動部を作動させてリールへのキャリアテープの巻き取りを開始することを特徴とするキャリアテープの自動巻取方法。
【請求項７】
前記リール駆動部に空のリールを装着した後、前記フランジに設けた位置決め孔に位置決めピンを進入させて前記ピン挿通孔の位置決めを行うことを特徴とする請求項６記載のキャリアテープの自動巻取方法。
【発明の詳細な説明】
【発明の属する技術分野】
本発明は、キャリアテープ巻取り用リール並びにキャリアテープの自動巻取装置及び方法に関し、詳しくは、電子部品を包装したキャリアテープを巻き取る紙製のリールに関するとともに、テープガイドから供給されるキャリアテープを前記リールに自動的に巻き取るための装置及び方法に関する。
【従来の技術】
電子部品を包装したキャリアテープを巻き取るリールとして、厚紙、段ボールによって形成された紙製のリールが多く用いられている。しかし、紙製のリールは、その保存時の姿勢や湿度等の影響によってフランジが変形しやすく、例えば、両フランジが近接する方向に変形したり、一方のフランジが他方のフランジ側に傾くように変形したり、さらに、両フランジが同一方向に傾くように変形したりすることがある（例えば、特許文献１参照。）。
このようにフランジが変形したリールを自動巻取装置（例えば、特許文献２参照。）にセットした場合、キャリアテープを供給するテープガイドがフランジ間に進入できなくなることがあり、テープガイドが進入できなかったリールは、不良品として装置から排出され、不良品として廃棄されていた。このため、通常の使用では全く問題が無いような変形であっても、不良品として廃棄されるリールが多かった。
【特許文献１】
特開平１１−３０１９３１号公報（第２−３頁、第３図）
【特許文献２】
特開平１１−２０８９４７号公報（第３頁、第４図）
【発明が解決しようとする課題】
このようなことから、楔状のフランジ拡開部材をフランジ間に進入させてフランジ間を所定間隔に拡げることも試みられているが、この方法は、両フランジが互いに近接する方向に変形したものには有効であっても、一方のフランジが他方のフランジ方向に変形したり、両フランジが同方向に変形したりしたリールに対しては、楔状部材がフランジ間に進入できず、フランジ間を拡開することができないため、このように変形したリールは、不良品と判断されて排出廃棄されていた。したがって、前述のような楔状のフランジ拡開部材を設けても、不良品として廃棄されるリールを無くすことはできず、歩留まりの向上には限界があった。
そこで本発明は、フランジが様々な状態に変形していてもフランジ間を確実に拡開することができ、自動巻取装置におけるテープガイドを確実に進入させることが可能なキャリアテープ巻取り用リールを提供するとともに、このようなリールとの組み合わせにより、フランジが変形していてもキャリアテープを自動的に巻き取ることができるキャリアテープの自動巻取装置及び方法を提供することを目的としている。
【課題を解決するための手段】
上記目的を達成するため、本発明のキャリアテープ巻取り用リールは、電子部品を包装したキャリアテープを巻き取る厚紙製のリールにおいて、該リールのフランジに、対向するフランジの内面を押圧するためのピンを挿通するピン挿通孔を設けたことを特徴とし、さらに、前記ピン挿通孔を各フランジにそれぞれ複数個設けられていること、前記フランジにピン挿通孔の位置決めを行うための位置決めピンが進入する位置決め孔が設けられていることを特徴としている。
また、本発明のキャリアテープの自動巻取装置は、テープガイドから供給されるキャリアテープをリール駆動部に装着したリールに巻取るためのキャリアテープの自動巻取装置において、前記リール駆動部に装着したリールの両フランジにおける前記テープガイド進入側にそれぞれ設けたピン挿通孔に対応するリールの前後位置に、前記リール駆動部に空のリールが装着されたときに、前記ピン挿通孔を貫通して対向するフランジの内面を押圧することにより両フランジ間を開くように作動するピンを突出させ、テープガイドがフランジ間に進入した後、リール駆動部がリールを回転駆動する前に前記ピンを後退させて前記ピン挿通孔から引き抜くピン突出手段をそれぞれ配置したことを特徴としている。さらに、上記キャリアテープの自動巻取装置において、前記フランジに設けた位置決め孔に進入して前記ピン挿通孔の位置決めを行うための位置決めピンを進退させる位置決めピン突出手段を備えていることを特徴としている。
加えて、本発明のキャリアテープの自動巻取方法は、テープガイドから供給されるキャリアテープをリール駆動部に装着したリールに巻取らせるためのキャリアテープの自動巻取方法において、前記リール駆動部に空のリールを装着し、該リールの両フランジにおける前記テープガイド進入側にそれぞれ設けたピン挿通孔を貫通させてピンを突出させ、該ピンの先端で対向するフランジの内面を押圧することにより両フランジ間を開き、前記テープガイドをフランジ間に挿入してキャリアテープの先端をリールにセットするとともに、前記ピンを後退させて前記ピン挿通孔から引き抜いた後、前記リール駆動部を作動させてリールへのキャリアテープの巻き取りを開始することを特徴とし、さらに、前記リール駆動部に空のリールを装着した後、前記フランジに設けた位置決め孔に位置決めピンを進入させて前記ピン挿通孔の位置決めを行うことを特徴としている。
【発明の実施の形態】
図１は、本発明のキャリアテープ巻取り用リールの一形態例を示すリールの正面図である。図２及び図３は、このキャリアテープ巻取り用リールのフランジ間を拡開する手順を示すもので、図２はフランジ拡開前の状態を示す側面図、図３はフランジ拡開時の状態を示す側面図である。さらに、図４及び図５は、このキャリアテープ巻取り用リールを使用したキャリアテープの自動巻取装置における主要部品の配置例を示すもので、図４は概略正面図、図５は概略側面図である。
まず、図１に示すように、キャリアテープ巻取り用リール１１は、従来の厚紙製リールと同様に、段ボール製の中芯１２の両側面に、段ボール製円盤からなるフランジ（側板）１３，１３を接着したものであって、フランジ１３には、キャリアテープの巻き取り状態を確認するための径方向の長孔１４と、扇形の窓１５とが設けられるとともに、対向するフランジ１３の内面を押圧するためのピンを挿通する複数のピン挿通孔１６，１６が設けられている。両フランジ１３，１３に設けられているピン挿通孔１６，１６は、このピン挿通孔１６を貫通したピンが対向するフランジ１３の内面を押圧できるように、両フランジにおいて異なった位置に設けられており、さらに、リール１１へのキャリアテープ巻き取り方向の違いに対応するため、各フランジ１３，１３の異なった位置にそれぞれ２箇所ずつ設けられている。また、中芯１２には、キャリアテープ先端を挿入するためのテープ挿入溝１７が設けられている。
上記ピン挿通孔１６を貫通するピンを進退させるピン突出手段には、例えば、図２，図３に示すように、エアシリンダー２１，２１を利用し、そのピストンロッド２２を前記ピンとして用いることができる。すなわち、図２に示すように、空リールがエアシリンダー２１，２１間にセットされ、かつ、ピストンロッド２２とピン挿通孔１６とが一致するようにセットした状態で、図３に示すように、エアシリンダー２１，２１を作動させて各ピストンロッド２２を突出させることにより、ピン挿通孔１６を貫通した各ピストンロッド２２の先端が対向するフランジの内面を押圧し、両フランジ間の間隔が所定間隔より狭まっている場合でも、また、一方のフランジが他方のフランジ方向に傾斜するように変形している場合でも、両ピストンロッド２２の押圧作用によってフランジ間を所定状態で所定間隔あるいはそれ以上に拡げることができる。
さらに、図２，図３では、スライド機構を有するエアスライダー２３によって先端を楔状とした位置決めピン２４を進退させる位置決めピン突出手段２５を設けている。この位置決めピン突出手段２５は、前記長孔１４を位置決め孔に利用してリール１１の位置決めを行うようにしたものであって、前記エアスライダー２３を作動させて位置決めピン２４を長孔１４に向かって突出させ、位置決めピン先端の楔状部分を長孔１４に進入させることによってリール１１の位置補正を行い、ピストンロッド２２がピン挿通孔１６に確実に進入できるようにする。
そして、図４，図５に示すように、テープガイド３１から供給されるキャリアテープをリール駆動部に装着したリールに巻取るためのキャリアテープの自動巻取装置において、前記ピン挿通孔１６を形成したリール１１を使用するとともに、前記ピン突出手段となるエアシリンダー２１，２１を設け、テープガイド３１がフランジ間に進入する方向におけるフランジ間を拡げるようにする形成することより、テープガイド３１をフランジ間へ確実に進入させることができる。
すなわち、自動巻取装置におけるリール駆動部及び前記テープガイド３１の位置やテープの巻き取り方向に合わせて、テープガイド進入側のフランジ間を拡げるためのピン突出手段となる前記エアシリンダー２１，２１をリール前後に配置するとともに、前記位置決めピン突出手段２５を配置し、リール駆動部へのリール１１の着脱、テープガイド３１の動作、リール駆動部の動作に合わせてエアシリンダー２１及び位置決めピン突出手段２５の動作を制御するようにしている。なお、エアシリンダー２１や位置決めピン突出手段２５がリール駆動部へのリール１１の着脱に支障がある場合は、これらを移動可能に形成しておけばよい。
まず、リール駆動部に空のリール１１が装着され、中芯１２に設けたテープ挿入溝１７の位置がテープガイド３１からのテープ挿入位置に対応するようにリール１１の方向がセットされると、エアスライダー２３が作動して位置決めピン２４を突出させ、先端の楔状部分を長孔１４に進入させることによってリール１１におけるピン挿通孔１６を所定位置に調節保持する。この状態でエアシリンダー２１を作動させてピストンロッド２２を突出させることにより、テープガイド進入側のフランジ間が狭まっている場合でも、テープガイド３１の進入が確実に行えるようにフランジ間を拡開する。
ピストンロッド２２でフランジ間を拡開させた状態でテープガイド３１をフランジ間に進入させ、従来通りキャリアテープ先端を挿入溝１７に挿入した後、リール駆動部を作動させてリール１１を回転させ、キャリアテープの巻き取りを開始する。このとき、前記エアシリンダー２１及びエアスライダー２３は、テープガイド３１がフランジ間に進入してからリール１１が回転を開始する前に、ピストンロッド２２及び位置決めピン２４を後退させてリール１１の回転を妨害しないようにする。
このようにしてリール１１にキャリアテープを巻き取るようにすることにより、フランジ１３，１３が変形したリール１１に対しても確実にキャリアテープを巻き取ることが可能となり、不良品として廃棄されるリール１１の発生をほとんど無くすことができ、リール歩留まりを１００％にすることも可能である。
なお、リール駆動部に空のリール１１を装着したときに、テープ挿入溝１７の位置合わせと同時にピン挿通孔１６の位置合わせが行えれば、前記位置決めピン突出手段２５による位置決めを省略することができる。また、リール１１におけるテープ巻き取り方向やリール駆動部への装着方向が一定の場合は、ピン挿通孔１６を各フランジ１３に一つずつとすることもできる。さらに、ピンの突出（進退）は、エアシリンダに限らず、マグネットやモーターを利用することもでき、前後のピンを一つの駆動源で作動させることもできる。
【発明の効果】
以上説明したように、本発明のキャリアテープ巻取り用リールによれば、フランジに設けたピン挿通孔にピンを貫通させて対向するフランジの内面を押圧することにより、フランジが様々な状態に変形していてもフランジ間を所定幅に拡開することができ、キャリアテープの挿入を確実に行うことができる。また、ピン挿通孔を各フランジにそれぞれ複数個設けておくことにより、テープの巻き取り方向の相違にも対応することができる。さらに、位置決めピンが進入する位置決め孔を設けておくことにより、ピン挿通孔へのピンの進入をより確実に行うことができる。
また、このようなピン挿通孔を有するリールをキャリアテープの自動巻取装置に用いるとともに、フランジ間を拡開するためのピン突出手段を所定位置に設けておき、テープガイドやテープ駆動手段、ピン突出手段等の作動を制御することにより、変形したリールに対しても、テープガイドからのキャリアテープの挿入及び巻き取りを自動的にかつ確実に行うことができ、リール歩留まりを向上させることができる。
【図面の簡単な説明】
【図１】本発明のキャリアテープ巻取り用リールの一形態例を示すリールの正面図である。
【図２】キャリアテープ巻取り用リールのフランジ間を拡開する前の状態を示す側面図である。
【図３】キャリアテープ巻取り用リールのフランジ間を拡開した状態を示す側面図である。
【図４】キャリアテープの自動巻取装置における主要部品の配置例を示す概略正面図である。
【図５】キャリアテープの自動巻取装置における主要部品の配置例を示す概略側面図である。
【符号の説明】
１１…キャリアテープ巻取り用リール
１２…中芯
１３…フランジ
１４…長孔
１５…窓
１６…ピン挿通孔
１７…テープ挿入溝
２１…エアシリンダー
２２…ピストンロッド
２３…エアスライダー
２４…位置決めピン
２５…位置決めピン突出手段
３１…テープガイド
【図１】
2004115271.tif 000003
【図２】
2004115271.tif 000004
【図３】
2004115271.tif 000005
【図４】
2004115271.tif 000006
【図５】
2004115271.tif 000007